(57)【要約】【課題】従来の放送受信装置は、番組を外部記憶媒体毎に管理できる技術ではなかった。【解決手段】この発明の放送受信装置は放送を受信し、番組および番組情報を取得する放送受信手段と、取得された番組および番組情報を記録する記録手段と、取得された番組および番組情報を外部接続される外部記憶媒体へ選択的に記録する外部記録媒体記録手段と、記録手段に記録された番組と外部記録媒体に記録された番組とを互いに記録された番組情報に基づいて比較し、番組情報テーブルを作成する番組情報テーブル作成手段と、番組情報テーブルを外部記録媒体へ記録する番組情報テーブル記録手段とを備えるように構成している。【選択図】  図１
2005020243.tif 000002
【特許請求の範囲】
【請求項１】
放送を受信する放送受信装置において、
番組およびこの番組に関する番組情報が含まれる放送を受信し、番組および番組情報を取得する放送受信手段と、
前記放送受信手段に接続され、前記放送受信手段で取得された番組および番組情報を記録する記録手段と、
前記放送受信手段に接続され、前記放送受信手段で取得された番組および番組情報を外部接続される外部記憶媒体へ選択的に記録する外部記録媒体記録手段と、
前記記録手段に記録された番組と前記外部記録媒体に記録された番組とを互いに記録された番組情報に基づいて比較し、番組情報テーブルを作成する番組情報テーブル作成手段と、
前記作成された番組情報テーブルを前記外部記録媒体へ記録する番組情報テーブル記録手段とを備えることを特徴とする放送受信装置。
【請求項２】
放送を受信する放送受信装置において、
番組およびこの番組に関する番組情報が含まれる放送を受信し、番組および番組情報を取得する放送受信手段と、
前記放送受信手段に接続され、前記放送受信手段で取得された番組および番組情報を記録する記録手段と、
前記放送受信手段に接続され、前記放送受信手段で取得された番組および番組情報を外部接続される外部記憶媒体へ選択的に記録する外部記録媒体記録手段と、
前記記録手段に記録された番組と前記外部記録媒体に記録された番組とを互いに記録された番組情報に基づいて比較し、番組情報テーブルを作成する番組情報テーブル作成手段と、
前記作成された番組情報テーブルを前記外部記録媒体へ記録する番組情報テーブル記録手段と、
前記外部記録媒体に記録された番組情報テーブルの内容を表示する表示手段とを備えることを特徴とする放送受信装置。
【請求項３】
前記番組情報テーブルは前記外部記録媒体へ記録された番組と記録されていない番組が区別され、前記表示手段は前記外部記録媒体へ記録された番組と記録されていない番組が識別されるように表示されることを特徴とする請求項２に記載の放送受信装置。
【請求項４】
前記番組情報テーブルに基づいて、前記外部記録媒体に記録されていない番組を前記記録手段から取得して前記外部記録媒体へ記録することを特徴とする請求項１乃至３に記載の放送受信装置。
【請求項５】
前記番組情報テーブル作成手段は番組のジャンルに応じて番組を比較することを特徴とする請求項１乃至４に記載の放送受信装置。
【請求項６】
番組およびこの番組に関する番組情報が含まれる放送を受信し、番組および番組情報を取得するステップと、
前記取得された番組および番組情報を記録媒体へ記録するステップと、
前記取得された番組および番組情報を外部接続される外部記憶媒体へ選択的に記録するステップと、
前記記録媒体に記録された番組と前記外部記録媒体に記録された番組とを互いに記録された番組情報に基づいて比較し、番組情報テーブルを作成するステップと、
前記作成された番組情報テーブルを前記外部記録媒体へ記録するステップとを備えることを特徴とする放送受信方法。
【請求項７】
番組およびこの番組に関する番組情報が含まれる放送を受信し、番組および番組情報を取得するステップと、
前記取得された番組および番組情報を記録媒体へ記録するステップと、
前記取得された番組および番組情報を外部接続される外部記憶媒体へ選択的に記録するステップと、
前記記録媒体に記録された番組と前記外部記録媒体に記録された番組とを互いに記録された番組情報に基づいて比較し、番組情報テーブルを作成するステップと、
前記作成された番組情報テーブルを前記外部記録媒体へ記録するステップと、
前記外部記録媒体に記録された番組情報テーブルの内容を表示するステップとを備えることを特徴とする放送受信方法。
【発明の詳細な説明】
【０００１】
【発明の属する技術分野】
この発明は放送を受信する放送受信装置に係り、特に記憶媒体を備えた放送受信装置に関する。
【０００２】
【従来の技術】
従来の記憶媒体を備えた放送受信装置は、光ディスクやハードディスク内に記録した画像のライブラリー情報をハードディスク内で一元管理し表示している。（例えば特許文献１）。
【０００３】
【特許文献１】
特開２００２−１５０７５４号公報（第１０−１１頁、図２、図３）
【０００４】
【発明が解決しようとする課題】
上記特許文献１の技術は画像のライブラリー情報がハードディスク内で一元管理する技術であり、番組を外部記憶媒体毎に管理できる技術ではなかった。
【０００５】
【課題を解決するための手段】
この発明に係る放送受信装置は、番組およびこの番組に関する番組情報が含まれる放送を受信し、番組および番組情報を取得する放送受信手段と、前記放送受信手段に接続され、前記放送受信手段で取得された番組および番組情報を記録する記録手段と、前記放送受信手段に接続され、前記放送受信手段で取得された番組および番組情報を外部接続される外部記憶媒体へ選択的に記録する外部記録媒体記録手段と、前記記録手段に記録された番組と前記外部記録媒体に記録された番組とを互いに記録された番組情報に基づいて比較し、番組情報テーブルを作成する番組情報テーブル作成手段と、前記作成された番組情報テーブルを前記外部記録媒体へ記録する番組情報テーブル記録手段とを備えるように構成している。
【０００６】
また、この発明に係る放送受信方法は、番組およびこの番組に関する番組情報が含まれる放送を受信し、番組および番組情報を取得するステップと、前記取得された番組および番組情報を記録媒体へ記録するステップと、前記取得された番組および番組情報を外部接続される外部記憶媒体へ選択的に記録するステップと、前記記録媒体に記録された番組と前記外部記録媒体に記録された番組とを互いに記録された番組情報に基づいて比較し、番組情報テーブルを作成するステップと、前記作成された番組情報テーブルを前記外部記録媒体へ記録するステップとを備えるように構成している。
【０００７】
【発明の実施の形態】
以下、図面を参照してこの発明の実施の形態を説明する。
【０００８】
図１はこの発明の実施の形態に係る放送受信装置を説明する構成図である。
【０００９】
符号１０１はチューナ（放送受信手段）、符号１０２は選択手段、符号１０３はＭＰＥＧデコード手段、符号１０４は画像切り替え手段、符号１０５は表示手段である。
【００１０】
ここでは放送としてデジタル放送を例にとって説明する。放送局から送信されたデジタル放送信号はチューナ１０１で受信される。
【００１１】
チューナ１０１は視聴者によって選択されたチャンネルの周波数を受信し、ＴＳ（Ｔｒａｎｓｐｏｒｔ    Ｓｔｒｅａｍ）信号を出力する。このＴＳ信号には映像／音声信号の他にジャンルやタイトル名等の番組情報が多重されている。
【００１２】
上記チューナ１０１から出力されたＴＳ信号出力、ＨＤＤ記録再生手段１０６出力、ディスク制御手段１０８出力のいずれかが選択手段１０２で選択され、ＭＰＥＧデコード手段１０３へ入力される。
【００１３】
ＭＰＥＧデコード手段１０３は、選択手段１０２で選択されたＴＳ信号を復号化し映像信号を画像切り替え手段１０４に出力する。
【００１４】
また、チューナ１０１出力をＨＤＤ記録再生手段１０６に記録するときは、チューナ１０１出力をＨＤＤ記録再生手段１０６に接続する。チューナ１０１出力をＤＶＤメディア１０７に記録するときは、チューナ１０１出力をディスク記録再生手段１０８に接続する。
【００１５】
また、ＨＤＤ記録再生手段１０６に記録済みの番組をＤＶＤメディア１０７に記録するときや、ＤＶＤメディア１０７に記録済みの番組をＨＤＤ記録再生手段１０６に記録するときは、ＨＤＤ記録再生手段１０６とディスク記録再生手段１０８を接続する。
【００１６】
リモコン１０９はユーザによって操作され、現在放送中の特定の放送局（チャンネル）を見るときは、リモコン１０９からチャンネル番号が制御手段１１０へ送信される。制御手段１１０はチューナ１０１の周波数制御等を行い、選択手段１０２がチューナ１０１出力信号をＭＰＥＧデコード手段１０３に供給するように制御する。ＭＰＥＧデコード手段１０３は供給された出力信号をＭＰＥＧデコードして出力する。ＭＰＥＧデコード手段１０３から出力された信号は、画像切り替え手段１０４へ供給され、ＭＰＥＧデコード手段１０３出力を表示手段１０５に供給するように制御する。そして、放送中の番組の映像が表示手段１０５に表示される。
【００１７】
符号１０６はＨＤＤ記録再生手段（記録手段）、符号１０７はＤＶＤメディア（外部記録媒体）、符号１０８はディスク制御手段（外部記録媒体記録手段、番組情報テーブル記録手段）、符号１０９はリモコン、符号１１０は制御手段、符号１２０は番組情報抽出手段、符号１２１は番組情報抽出手段、符号１２２は番組リスト生成手段（番組情報テーブル作成手段）、符号１２３は番組情報分析手段、符号１２４はグラフィック生成手段である。
【００１８】
ＨＤＤ記録再生手段１０６は、選択手段１０２で選択されたチューナ１０１またはディスク記録再生手段１０８から出力されるＴＳ信号をＨＤＤに記録する。また、ＨＤＤに記録したＴＳ信号を再生し選択手段１０２に出力して再生する。
【００１９】
ユーザによってリモコン１０９が操作され、チューナ１０１出力をＨＤＤ記録再生手段１０６に記録する指示がなされると、制御手段１１０はチューナ１０１出力をＨＤＤ記録再生手段１０６に供給するように選択手段１０２を制御し、ＨＤＤ記録再生手段１０６を記録モードに設定して番組記録を指示する。
【００２０】
また、ユーザがリモコン１０９を操作してＨＤＤ記録再生手段１０６に記録済みの番組を再生する指示がなされると、制御手段１１０はＨＤＤ記録再生手段１０６出力をＭＰＥＧデコード手段１０３に供給するように選択手段１０２を制御し、ＨＤＤ記録再生手段１０６を再生モードに設定して番組再生を指示する。
【００２１】
ディスク記録再生手段１０８は、選択手段１０２で選択されたチューナ１０１またはＨＤＤ記録再生手段１０６から出力されるＴＳ信号をＤＶＤメディア１０７に記録する。また、ＤＶＤメディア１０７に記録されたデータを読み取りＴＳ信号を選択手段１０２に出力して再生する。
【００２２】
ユーザによってリモコン１０９が操作され、チューナ１０１出力をＤＶＤメディア１０７に記録するように指示がなされると、制御手段１１０はチューナ１０１出力をディスク記録再生手段１０８に供給するように選択手段１０２を制御し、ディスク記録再生手段１０８を記録モードに設定してＤＶＤメディア１０７に番組記録を指示する。
【００２３】
また、ユーザによってリモコン１０９が操作され、ＤＶＤメディア１０７に記録済みの番組を再生する指示がなされると、制御手段１１０はディスク記録再生手段手段１０８出力をＭＰＥＧデコード手段１０３に供給するよう選択手段１０２を制御し、ディスク記録再生手段１０８を再生モードに設定して、ディスク記録再生手段１０８はＤＶＤメディア１０７に記録済みの番組を読み出し再生を行う。
【００２４】
また、ユーザによってリモコン１０９が操作され、ＨＤＤ記録再生手段１０６に記録済み番組をＤＶＤメディア１０７に記録するときは、ＨＤＤ記録再生手段１０６出力をディスク記録再生手段１０８に供給するよう選択手段１０２を制御し、ＨＤＤ記録再生手段１０６を再生モードにする再生指示を行い、ディスク記録再生手段１０８を記録モードにし、制御手段１１０はＤＶＤメディア１０７への記録指示を行う。
【００２５】
また、ＤＶＤメディア１０７からＨＤＤ記録再生手段１０６への記録は、ディスク記録再生手段１０８を再生モードに設定し、ＤＶＤメディア１０７に記録済みの番組を読み出し再生を行い、ＨＤＤ記録再生手段１０６を記録モードに設定して番組記録を指示する。
【００２６】
次にこの発明の実施の形態に係る放送受信装置の動作を説明する。
【００２７】
図２はこの発明の実施の形態に係る放送受信装置で作成される番組内容を説明する図である。
【００２８】
ＨＤＤ記録再生手段１０６には、図２（ａ）に示す番組が記録済みである。またＤＶＤメディア１０７には図２（ｂ）に示すタイトル名が”ドラマＡ”を集めたＤＶＤメディア１０７ａが記録されているとする。
【００２９】
ここでは、ＨＤＤ記録再生手段１０６に記録されている多数の番組からタイトル名が”ドラマＡ”の番組を抽出してタイトル一覧を表示する例を用いて説明する。
【００３０】
上記のように、ユーザがリモコン１０９の操作を行い、制御手段１１０に保存候補の番組を抽出するように指示する。そして、制御手段１１０は番組情報抽出手段１２０、１２１にその動作を行うように指示する。
【００３１】
番組情報抽出手段１２０は、ＨＤＤ記録再生手段１０６から記録済み番組の各番組情報を抽出する。番組情報抽出手段１２０は、図２（ａ）のようなジャンル、タイトル名、放送日、開始時刻等の番組データを抽出し、番組情報テーブルを作成する。そして、作成した番組情報テーブル（以下、ＨＤＤ番組情報テーブルと呼ぶ）を番組リスト生成手段１２２に出力する。
【００３２】
番組情報抽出手段１２１は、番組情報抽出手段１２０と同様に、ディスク記録再生手段１０８を介して、ＤＶＤメディア１０７ａの記録済み番組の各番組情報を抽出する。番組情報抽出手段１２１は、図２（ｂ）に示すジャンル、タイトル名、放送日、開始時刻等の番組情報を抽出し、番組情報テーブルを作成する。そして、作成した番組情報テーブル（以下、ＤＶＤ番組情報テーブルと呼ぶ）を番組リスト生成手段１２２、番組情報分析手段１２３に出力する。番組情報分析手段１２３はＤＶＤ番組情報テーブルからＤＶＤメディア１０７ａの番組情報を分析する。
【００３３】
図３はこの発明の実施の形態に係る情報分析手段の動作を説明するフローチャートである。
【００３４】
スタートに続いて符号Ｓ３０１を付したステップへ進む。
【００３５】
符号Ｓ３０１はジャンルが１種類かを判定するステップである。図２（ｂ）のＤＶＤ番組情報テーブルから各番組情報のうちジャンル情報を比較し、ジャンルが１種類か否かを判定する。ジャンルが１種類であると判定された場合は符号Ｓ３０２を付したステップへ進む（Ｙｅｓ）。ジャンルが１種類ではないと判定された場合は符号Ｓ３０７を付したステップへ進む（Ｎｏ）。
【００３６】
符号Ｓ３０２はジャンルを記憶保持するステップである。ジャンルが１種類であればそのジャンル名を記憶保持する。図２（ｂ）の例ではジャンルは１種類で、ジャンル名は”ドラマ”と記憶する。続いて符号Ｓ３０３を付したステップへ進む。
【００３７】
符号Ｓ３０３は、タイトルは１種類かを判定するステップである。ここでは、ＤＶＤ番組情報テーブルから各番組情報のうちタイトル情報を比較し、タイトル名が１種類であるか否かが比較される。タイトルは１種類であると判定される場合は符号Ｓ３０４を付したステップへ進む（Ｙｅｓ）。タイトルは１種類ではないと判定される場合は符号Ｓ３０６を付したステップへ進む（Ｎｏ）。
【００３８】
符号Ｓ３０４はタイトルを記憶保持するステップである。タイトル名が１種類であればそのタイトル名を記憶保持する。図２（ｂ）の例ではタイトルも１種類で、タイトル名は”ドラマＡ”と記憶する。続いて符号Ｓ３０５を付したステップへ進む。
【００３９】
符号Ｓ３０５はタイトル検索モードを指示するステップである。ここでは、番組リスト生成手段１２２にタイトル名で検索するように検索モードを指示する。続いて終了ステップ（エンド）へ進む。
【００４０】
符号Ｓ３０６はジャンル検索モードを指示するステップである。続いて終了ステップ（エンド）へ進む。
【００４１】
符号Ｓ３０７は全リスト表示を指示するステップである。続いて終了ステップ（エンド）へ進む。
【００４２】
図４はこの発明の実施の形態に係るタイトル検索モード時動作を説明するフローチャートである。
【００４３】
上記のように、番組リスト生成手段１２２は番組情報分析手段１２３から検索モードの指示を受け、番組情報分析手段１２３で記憶したタイトル名をキーワードにして、ＨＤＤ番組情報テーブルからタイトル名が一致する番組の抽出を行う。
【００４４】
まず番組リスト生成手段１２２は図２（ｂ）に示すＤＶＤ番組情報テーブルを取りこみ、番組リストへ書き込む。また、番組リスト生成時に、ＤＶＤのみに記録されている番組か、ＨＤＤのみに記録されている番組か、またはＨＤＤとＤＶＤの両方に記録されている番組かを示す判別フラグを付加する。
【００４５】
ここでは、番組が、ＤＶＤのみに記録されているときは判別フラグ＝０、ＨＤＤのみに記録されているときは判別フラグ＝１、ＨＤＤとＤＶＤの両方に記録されているときは判別フラグ＝２と定義している。
【００４６】
また、番組情報分析手段１２３の分析結果から番組リスト生成手段１２２の動作モードを示すモードフラグも付加する。
【００４７】
ここでは、タイトル名をキーワードにして検索するタイトル名検索モードで動作しているときはモードフラグ＝１、ジャンル名をキーワードにして検索するジャンル名検索モードで動作しているときはモードフラグ＝２、それ以外のモードのときは、モードフラグ＝３と定義する。そして、番組リスト生成手段１２２では後述する図５（ａ）に示す番組リストが生成される。
【００４８】
スタートステップに続いて符号Ｓ５０１を付したステップへ進む。
【００４９】
符号Ｓ５０１は定数ｎ＝１に初期化するステップである。続いて符号Ｓ５０１を付したステップへ進む。
【００５０】
符号Ｓ５０２は全ての番組データの読み込みを終了したかを判断するステップである。全ての番組データの読み込みを終了した場合は終了ステップ（エンド）へ進む（Ｙｅｓ）。全ての番組データの読み込みを終了しない場合は符号Ｓ５０３を付したステップへ進む（Ｎｏ）。ここでは読み込み中なのでＳ５０３に進む。
【００５１】
符号Ｓ５０３はＨＤＤの番組情報テーブルからｎ番目の番組データを読み込むステップである。ここでは上記図２（ａ）に示した番組情報テーブルから１番目の番組データを読み込む。続いて符号Ｓ５０９を付したステップへ進む。
【００５２】
符号Ｓ５０９は、ジャンル名は一致するかを判断するステップである。すなわち、図３に示すＳ３０２で記憶したジャンル名と読み込んだ番組データのジャンル名が一致するかを判断する。ジャンル名は一致すると判断される場合はＳ５０４を付したステップへ進む（Ｙｅｓ）。ジャンル名は一致しないと判断される場合はＳ５０８を付したステップへ進む（Ｎｏ）。ここでは、上記図２（ａ）に示すように、１番目の番組はジャンル名が”ドラマ”なので一致したと判断し、Ｓ５０４に進む。
【００５３】
符号Ｓ５０４はタイトル名が一致するかを判断するステップである。すなわち、上記図３に示すＳ３０４で記憶したタイトル名と読み込んだ番組データのタイトル名が一致するかを判断する。タイトル名が一致すると判断する場合は符号Ｓ５０５を付したステップへ進む（Ｙｅｓ）。タイトル名が一致しないと判断する場合は符号Ｓ５０８を付したステップへ進む（Ｎｏ）。ここでは、図２（ａ）に示すように、１番目の番組はタイトル名が”ドラマＡ”なので一致したと判断し、Ｓ５０５に進む。
【００５４】
符号Ｓ５０５は番組リストに放送日、開始時刻が一致する番組データがあるかを判断するステップである。番組リストに書き込み済みの番組データと放送日、開始時刻の比較を行い、一致すればすでにＤＶＤメディア１０７ａに保存済みの番組と判断する。番組リストに放送日、開始時刻が一致する番組データがあると判断する場合は符号Ｓ５０６を付したステップへ進む（Ｙｅｓ）。番組リストに放送日、開始時刻が一致する番組データがないと判断する場合は符号Ｓ５０７を付したステップへ進む（Ｎｏ）。
【００５５】
符号Ｓ５０７は判定フラッグ＝１、モードフラッグ＝１にして番組リストに追加するステップである。続いて符号Ｓ５０８を付したステップへ進む。
【００５６】
符号Ｓ５０８はｎをｎ＝ｎ＋１とするステップである。続いて符号Ｓ５０２へ進み、上記処理が繰り返される。
【００５７】
次に上記フローチャートを具体的に説明する。
【００５８】
図５はこの発明の実施の形態に係る番組リストの例を説明する図である。
【００５９】
図５（ａ）に示す番組リストの２番目の番組と上記図２（ａ）に示す１番目の番組は同じ番組なので一致し、Ｓ５０６に進む。Ｓ５０６では、図５（ａ）に示す２番目の番組の判別フラグを”２”に書き換え、図５（ｂ）に示す番組リストに書き換える。そして、Ｓ５０８に進みｎ＝２にカウントしＳ５０２に戻る。
【００６０】
ここでは、まだ読み込み中なのでＳ５０３に進み、ｎ＝２なので図２（ａ）に示す２番目の番組データの読み込みを行い、Ｓ５０９に進む。
【００６１】
ここでは、図２（ａ）に示す２番目の番組はジャンル名が”映画”なので、記憶したジャンル名と不一致となり、番組リストには書き込まれず再びＳ５０８に進み、ｎ＝３にカウントし、Ｓ５０２に戻る。
【００６２】
ここでは、まだ読み込み中なのでＳ５０３に進み、ｎ＝３なので、図２（ａ）に示す３番目の番組データを読み込む。Ｓ５０９ではジャンル名が一致し、Ｓ５０４に進む。Ｓ５０４ではタイトル名が一致したのでＳ５０５へ進む。Ｓ５０５では、図５（ｂ）に示す番組リストと比較して放送日が一致する番組データがないので、ＤＶＤメディア１０７ａに記録されてないと判断し、Ｓ５０７に進む。Ｓ５０７ではＳ５０３で抽出した番組データを番組リストに追加し、このとき判別フラグ＝１、モードフラグ＝１として追加して、図５（ｃ）に示すように、番組リストが書き換えられる。
【００６３】
Ｓ５０７から再度Ｓ５０８に進み、ｎ＝４にカウントし、再びＳ５０２からＳ５０７の一連の動作フローを繰り返す。ｎ＝６のときに図２（ａ）に示す６番目の番組データを読み込み、タイトル名が”ドラマＡ”と一致するので、図５（ｄ）の判別リストに書き換えられる。
【００６４】
Ｓ５０２からＳ５０７の一連の動作フローを繰り返し、ｎ＝９となり、図２（ａ）に示す９番目の番組データの比較を行い、Ｓ５０８はｎ＝１０にカウントし、Ｓ５０２に戻る。図２（ａ）には１０番目の番組データは存在しないのでＳ５０２は全ての番組データの読み込みが終了したと判断し、一連の動作フローを終了する。
【００６５】
すなわち、図４の動作フローにより、番組リスト生成手段１２２は図５（ｄ）に示す番組リストを得る。そして、得られた番組リストをグラフィック生成手段１２４に出力する。
【００６６】
上述したように、番組情報抽出手段１２０の、ＨＤＤ番組情報テーブルのタイトル名の比較動作を行い、タイトル名が一致した番組データを抽出することができ、図５（ｄ）のような番組リストが生成される。
【００６７】
図６はこの発明の実施の形態に係るグラフィック生成手段から出力される表示画面の一例を説明する図である。
【００６８】
グラフィック生成手段１２４は番組リストに基づいて、図６に示すグラフィック画像を生成し、画像切り替え手段１０４を介して表示手段１０５に表示する。
【００６９】
このとき、グラフィック表示手段１２４は判別フラグをチェックし、判別フラグ＝２であれば”  該当する番組データ列に、保存済み”アイコンを表示し、判別フラグ＝１であれば”未保存”のアイコンを表示する。
【００７０】
この発明の実施の形態においては、このように作成された（例えば図５（ｄ）に示す）番組情報テーブルをＤＶＤメディア１０７へ記録する。
【００７１】
すなわち、ＤＶＤメディア１０７には、実際に記録された番組（保存済表示）の他に、上記番組情報テーブルが記録される。
【００７２】
この”未保存”の番組はＨＤＤ記録再生手段１０６から取得され、ＤＶＤメディア１０７へ記録編集される。
【００７３】
この番組情報テーブルが個々のＤＶＤメディア１０７等にそれぞれ記録されることで、ＤＶＤメディア１０７毎に番組情報を管理することができる。このため、ＤＶＤメディア１０７を例えば、ドラマＡシリーズを保存するメディアとする管理を行うことができるので、ＤＶＤメディア１０７等を取り替えて、適宜、画像記録装置間を移動させることができる。
【００７４】
このように表示することで、ＨＤＤ記録再生手段１０６に記録された多数の番組の中から保存したい番組候補を検索することができ、また”保存済み”アイコン、”未保存”アイコン等を付加して表示することで、どの番組を保存すれば良いかまたすでに保存済みで削除しても良い番組かがユーザに簡単にわかる。
【００７５】
上記のようにこの発明の実施の形態においては、ＤＶＤメディア１０７の番組情報からタイトル名が１種類か否かを分析し、タイトル名をキーワードにしてＨＤＤ記録再生手段１０６に多数記録されている番組から特定のタイトル名の番組だけを抽出できる。
【００７６】
また、抽出した番組リストを表示するときにアイコン等を付加し、どの番組が未保存なのかをユーザにわかりやすく表示することができる。
【００７７】
尚、上記例では”未保存”アイコンを付加した例を用いて説明を行ったが、表示するグラフィック画像の文字色を変えたり、色付けしたり、また該当する番組データ列を枠組みするようにして保存済み番組データと区別できるように表示しても同様の効果を得られる。
【００７８】
次に、ＨＤＤ記録再生手段に記録された中から同一ジャンルの番組リストを作成する例を説明する。
【００７９】
ＤＶＤメディア１０７には図２（ｃ）に示すタイトル名が複数で、ジャンル名が１種類で”ドラマ”の番組を集めたＤＶＤメディア１０７ｂとし、ＨＤＤ記録再生手段１０６の記録済み番組で同一ジャンルの番組リストを生成する例を説明する。
【００８０】
図７はこの発明の実施の形態に係る放送受信装置の番組リスト生成手段の動作を説明するフローチャートである。
【００８１】
番組リスト生成手段１２２のジャンル検索モードの動作フローを図７に示す。図４と同じステップは同じ番号を記し説明を省略する。図８に番組リスト生成手段１２２で生成する番組リストを示す。
【００８２】
番組情報分析手段１２３では図３のＳ３０１でＤＶＤ番組情報テーブルのジャンル名が１種類であると判断し、Ｓ３０２でジャンル名を記憶しＳ３０３に進む。Ｓ３０３ではタイトル名が１種類か否かを判断し、図２（ｃ）のＤＶＤ番組情報テーブルではタイトル名が複数なのでＳ３０６に進み、番組リスト生成手段１２２にジャンル名で検索するように検索モードを指示する。
【００８３】
上記と同様に、番組リスト生成手段１２２は図２（ｃ）に示すＤＶＤ番組情報テーブルを番組リストに図８（ａ）に示すように書き込む。このとき判別フラグ＝０、モードフラグ＝２として書き込む。
【００８４】
図８はこの発明の実施の形態に係る放送受信装置の番組リストの例を示す図である。
【００８５】
また図４と同様に、図２（ａ）に示す１番目の番組データを抽出して、Ｓ８０１でジャンル名が一致するか否かを判断する。ここではジャンル名が一致するのでＳ５０５に進む。
【００８６】
図８（ａ）に示す番組リストに先述と同じく放送日、開始時間が一致する番組データがあるので、Ｓ８０２に進む。Ｓ８０２では番組リストの一致した番組データの判別フラグをチェックし、判別フラグ＝０か否かを判断する。図８（ａ）に示す３番目の番組データが一致しており、この番組の判別フラグが”０”なのでＳ５０６に進む。
【００８７】
Ｓ８０３で、図８（ｂ）に示すように判別フラグ＝２、モードフラグ＝２に番組リストを書き換える。
【００８８】
再びＳ５０２に戻り、Ｓ５０３で図５（ａ）に示す２番目の番組データを読み込み、Ｓ８０１でジャンル名が”映画”なので不一致と判断し、番組リストに追加せずＳ５０２に戻る。
【００８９】
続いて３番目の番組データを読み込み、Ｓ８０１でジャンル名が一致し、Ｓ５０５に進む。図８（ｂ）に示す番組リストには一致する番組データがないのでＳ８０４に進み、図８（ｃ）に示すように判別フラグ＝１、モードフラグ＝２として番組リストをに追加し、Ｓ５０２に戻る。
【００９０】
そして、上記一連の動作フローを繰り返し行い、番組リスト生成手段１２２は図８（ｄ）の番組リストを生成する。
【００９１】
この発明の実施の形態においては、このように作成された（例えば図８（ｄ）に示す）番組情報テーブルをＤＶＤメディア１０７へ記録する。
【００９２】
すなわち、ＤＶＤメディア１０７には、実際に記録された番組（保存済表示）の他に、上記番組情報テーブルが記録される。
【００９３】
この番組情報テーブルが個々のＤＶＤメディア１０７等にそれぞれ記録されることで、ＤＶＤメディア１０７毎に番組情報を管理することができる。
【００９４】
番組リスト生成手段１２２の番組リストからグラフィック生成手段１２４はグラフィック画像を生成し、図８に示す番組リストが図９（ａ）に示すような番組リスト画像として表示手段１０５に表示される。
【００９５】
図９はこの発明の実施の形態に係る放送受信装置で表示される表示画像の例を示す図である。
【００９６】
ここでは表示可能な番組リスト数を超えて複数ページに渡り表示する一例を挙げている。ユーザがリモコン１０９を操作して、図８（ｂ）のように番組リストの続きのグラフィック画像をグラフィック生成手段１２４は生成し表示する。判別フラグをチェックし、”保存済み”アイコン、”未保存”アイコンを該当する番組データ列に表示するのは先述と同様である。
【００９７】
この”未保存”の番組はＨＤＤ記録再生手段１０６から取得され、ＤＶＤメディア１０７へ記録編集される。
【００９８】
尚、上記のように、タイトル名が複数のときは、ＤＶＤメディア１０７の番組情報からジャンル名検索を行い、ジャンル名が１種類か否かを分析し、ジャンル名をキーワードにしてＨＤＤ記録再生手段１０６に多数記録されている番組から特定のジャンル名の番組だけを抽出できる。
【００９９】
また、抽出した番組リストを表示するときにアイコン等を付加し、どの番組が未保存なのかをユーザにわかりやすく表示することができる。
【０１００】
尚、この例では”未保存”アイコンを付加しているが、表示するグラフィック画像の文字色を変えたり、色付けしたり、また該当する番組データ列を枠組みするようにして保存済み番組データと区別できるように表示しても同様の効果が得られる。
【０１０１】
また、ＤＶＤメディア１０７に記録されている番組データのジャンル名、タイトル名がばらばらであったり、ＤＶＤメディア１０７が未記録の場合、番組情報分析手段１２３は図３に示すＳ３０１からＳ３０７に進む。
【０１０２】
Ｓ３０７では、番組情報分析手段１２３から番組リスト生成手段１２２にＨＤＤ番組情報テーブルを全リスト表示するように指示を行う。
【０１０３】
番組リスト生成手段１２２は、ＨＤＤ番組情報テーブルを番組リストに書き込み、グラフィック生成手段１２４でグラフィク画像を生成して表示手段１０５に表示する。
【０１０４】
以上説明したように、この発明の実施の形態においては、ＤＶＤメディアに記録されている各番組情報のＤＶＤ番組情報テーブルから、タイトル名が１種類であればタイトル名別の保存用ＤＶＤメディアだと判断できる。
【０１０５】
また、タイトル名は複数であるが、ジャンルは１種類であればジャンル名別の保存用ＤＶＤメディアだと判断できる。
【０１０６】
この番組情報分析手段の結果をもとに、ＨＤＤ番組情報テーブルの多数の番組情報から条件のあった番組情報だけを抽出し、ＤＶＤメディアに記録済みか未保存かを示すアイコン等を付加して抽出した番組情報をグラフィック表示することで、ユーザにどの番組が保存対象かをわかりやすく表示することができる。
【０１０７】
また、番組情報手段１２０、１２１、番組リスト生成手段１２２、番組情報分析手段１２３を、例えばマイクロプロセッサ等で図３、図４、図７の動作フローによってソフトウェア的に構成することが可能であることも当然である。
【０１０８】
次に、この発明の、他の実施の形態を説明する。
【０１０９】
図１０はこの発明の、他の実施の形態に係る番組情報を検索するフローチャートである。
【０１１０】
スタートステップに続いて符号Ｓ５０１を付したステップへ進む。
【０１１１】
符号Ｓ５０１は定数ｎ＝１に初期化するステップである。続いて符号Ｓ５０１を付したステップへ進む。
【０１１２】
符号Ｓ５０２は全ての番組データの読み込みを終了したかを判断するステップである。全ての番組データの読み込みを終了した場合は終了ステップ（エンド）へ進む（Ｙｅｓ）。全ての番組データの読み込みを終了しない場合は符号Ｓ５０３を付したステップへ進む（Ｎｏ）。ここでは読み込み中なのでＳ５０３に進む。
【０１１３】
符号Ｓ５０３はＨＤＤの番組情報テーブルからｎ番目の番組データを読み込むステップである。ここでは上記図２（ａ）に示した番組情報テーブルから１番目の番組データを読み込む。続いて符号Ｓ１１０１を付したステップへ進む。
【０１１４】
符号Ｓ１１０１は、ジャンル名は一致するかを判断するステップである。ジャンル名は一致すると判断される場合はＳ５０８を付したステップへ進む（Ｙｅｓ）。ジャンル名は一致しないと判断される場合はＳ１１０２を付したステップへ進む（Ｎｏ）。
【０１１５】
符号Ｓ１１０２は判定フラッグ＝１、モードフラッグ＝１にして番組リストに追加するステップである。続いて符号Ｓ５０８を付したステップへ進む。
【０１１６】
符号Ｓ５０８はｎをｎ＝ｎ＋１とするステップである。続いて符号Ｓ５０２へ進み、上記処理が繰り返される。
【０１１７】
この発明の実施の形態は第１の実施例のタイトル検索モードとジャンル検索モードを組み合わせ、またタイトル名、ジャンル名が不一致の番組データも表示する例で、タイトル名が一致した番組データが優先度が高く、次にジャンル名が一致した番組データを優先して表示し、最後にジャンル名が不一致の番組データを表示する番組リストを生成する例である。
【０１１８】
ここでは例として、図２（ｂ）に示すＤＶＤメディア１０７ａを用い、タイトル名が一致する番組を第１候補として挙げ、タイトル名が異なりジャンル名が一致する番組を第２候補として表示し、その後にその他のジャンル名の番組を表示する例を図１１、図１２を用いて説明する。
【０１１９】
図１１はこの発明の、他の実施の形態に係る番組リストを説明する図である。
【０１２０】
図１２はこの発明の、他の実施の形態に係る表示画像を説明する図である。
【０１２１】
番組情報分析手段１２３は、第１の実施例と同様に図２（ｂ）に示すＤＶＤ番組情報テーブルを分析し、タイトル名が一致するのでタイトル検索モードで動作するように番組リスト生成手段１２２に指示する。
【０１２２】
番組リスト生成手段１２２は上記図４の動作フローによるタイトル検索モードを実行し、図１１（ａ）の番組リストを生成する。尚、図１１（ａ）は図５（ｄ）と同じである。
【０１２３】
図４の一連の動作フローを終了し、タイトル検索モードを抜けると、次に番組リスト生成手段１２２は上記図７に示すジャンル検索モードによる動作を開始し、ＨＤＤ番組情報テーブルからジャンルが一致する番組データの抽出を行う。
【０１２４】
図７に示すＳ５０３では、図２（ａ）に示す１番目の番組を読み込み、Ｓ８０１でジャンルが一致するのでＳ５０５に進む。
【０１２５】
Ｓ５０５では、図１３（ａ）に示す２番目の番組と番組データが一致するのでＳ８０２に進む。
【０１２６】
Ｓ８０２では、番組リストの一致した２番目の番組の判別フラグをチェックし、判別フラグ＝２なので番組リストに追加せず、Ｓ５０８に進む。判別フラグが”１”または”２”であれば既にタイトル検索モードで書き換えたまたは追加した番組データであるので、Ｓ８０２で番組リストの書き換えは行わないようにする。
【０１２７】
そして、図７に示す一連の動作フローを繰り返し、図２（ａ）に示す４番目の番組でジャンル名が一致するのでＳ５０５に進み、図１１（ａ）に示す番組リストには一致する番組データがないので、Ｓ８０４に進み、図１１（ｂ）に示すように判別フラグ＝１、モードフラグ＝２にして番組リストに追加する。
【０１２８】
同様に、一連の動作フローを繰り返し行い、図２（ａ）に示す９番目のジャンル名が”ドラマ”で、タイトル名が”ドラマＢ”の番組が番組リストに追加され図１１（ｃ）のようにタイトル検索モードで抽出したタイトル名が”ドラマＡ”の番組リストに、ジャンル検索モードで抽出したでジャンル名が”ドラマ”の番組データが追加される。
【０１２９】
再びＳ５０８に進み、Ｓ５０２でＨＤＤ番組情報テーブルの全ての番組データの読み込みが終了したので、番組リスト生成手段１２２はジャンル検索モードを終了する。
【０１３０】
続いて、番組リスト生成手段１２２は図１２の動作フローによりＨＤＤ番組情報テーブルからジャンル名が不一致の番組データの抽出を行う。図１２は図４と同じ動作フローは同じ番号を付加し、説明を省略する。
【０１３１】
ＨＤＤ番組情報テーブルに示す１番目の番組データを読み込み、Ｓ１１０１でジャンル名が一致するか否かを判別する。
【０１３２】
ジャンル名が一致すれば、すでにジャンル検索モードで抽出されており、Ｓ５０８に進む。ｎ＝２のとき、図２（ａ）に示す２番目の番組データを読み込む。Ｓ１１０１ではジャンル名が不一致なのでＳ１１０２に進む。
【０１３３】
Ｓ１１０２では、判別フラグ＝１、モードフラグ＝３にして図１１（ｄ）のように抽出した番組データを番組リストに追加する。
【０１３４】
Ｓ５０８に進み、ｎ＝３にカウントして再びＳ５０２に進む。一連の動作フローを繰り返し、図１１（ｅ）の番組リストが生成され、Ｓ５０２でＨＤＤ番組情報テーブルの全番組データの読み込みを終了して動作を終了する。
【０１３５】
この発明の実施の形態においては、このように作成された（例えば図１１（ｅ）に示す）番組情報テーブルをＤＶＤメディア１０７へ記録する。
【０１３６】
すなわち、ＤＶＤメディア１０７には、実際に記録された番組（保存済表示）の他に、上記番組情報テーブルが記録される。
【０１３７】
この番組情報テーブルが個々のＤＶＤメディア１０７等にそれぞれ記録されることで、ＤＶＤメディア１０７毎に番組情報を管理することができる。
【０１３８】
グラフィック生成手段１２４では、番組情報分析手段１２３の検索モード指示と図１１（ｅ）の番組リストが入力される。
【０１３９】
タイトル検索モードのときは、モードフラグ＝１かつ判別フラグ＝１の番組データに”未保存”アイコンを付加し、モードフラグ＝１かつ判別フラグ＝２の番組データに”保存済み”アイコンを付加するようにし、図１２上部のようなグラフィック画像を表示する。
【０１４０】
また、この例では１ページで表示可能な番組数が超え複数ページにわたっており、ユーザがリモコン１０９を操作して次ページを表示すると、図１２下部に示すようにジャンル名が不一致の番組を表示する。
【０１４１】
したがって、タイトル名が一致した番組データを優先度を高くして最初に表示し、次にジャンル名が一致した番組を表示し、最後にその他の番組のタイトル一覧を表示することができる。
【０１４２】
上述したように、ＤＶＤメディア１０７の番組情報からタイトル名が１種類ならば、タイトル名検索を行い、タイトル名検索終了後にジャンル名検索を行うことで、タイトル名が一致した番組データを優先度を高くし、次にジャンル名が一致した番組データを抽出して表示することも可能である。
【０１４３】
次にこの発明の、実施の形態に係る他の実施の形態を説明する。
【０１４４】
図１３、図１４はこの発明の、他の実施の形態を説明する図である。
【０１４５】
図１３はこの発明の、他の実施の形態に係るタイトル検索モードの表示画像を示す図である。
【０１４６】
図１４はこの発明の、他の実施の形態に係るジャンル検索モードの表示画像を示す図である。
【０１４７】
ここでは、図１３（ｅ）に示す番組リストを例にとり、タイトル名が一致した番組データの優先度が高く、次にジャンル名が一致した番組データを表示し、最後にその他の番組データの番組リストを表示するようにする。
【０１４８】
グラフィック生成手段１２４には、図１３（ｅ）に示す番組リストが入力される。グラフィック生成手段１２４は判別フラグをチェックし、判別フラグ＝”０”または”２”であればＤＶＤメディア１０７ａの番組と認識し、判別フラグ＝”１”または”２”であればＨＤＤ記録再生手段１０６の番組と認識する。番組リストを判別フラグにより、ＨＤＤ番組リスト、ＤＶＤ番組リストに分類し、図１３に示すように表示手段１０５に表示するときにＨＤＤタイトルとＤＶＤタイトルと分けて表示する。
【０１４９】
また、図２（ｃ）に示すＤＶＤメディア１０７ｂの場合は、上記例と同様に情報分析手段１２２は、まずジャンル名検索モードで動作し、ＨＤＤ記録再生手段１０６に記録済み番組からジャンル名が一致する番組を抽出して番組リストを生成した後、その他の番組データを番組リストに追加する。表示手段１０５には図１４に示すようなグラフィック画像が表示される。
【０１５０】
このように表示することでユーザは、ＤＶＤメディア１０７に、どの番組が記録されているかを見ながら、ＨＤＤ記録再生手段１０６に記録されている多数の番組のうち、保存すべき番組の優先度を決定する要因である”保存済み”アイコン、”未保存”アイコン等が表示されているので、どの番組をＤＶＤメディア１０７に記録すれば良いかが、簡単に理解できる。
【０１５１】
この発明の実施の形態においては、このように作成された（例えば図５（ｄ）に示す）番組情報テーブルをＤＶＤメディア１０７へ記録する。
【０１５２】
すなわち、ＤＶＤメディア１０７には、実際に記録された番組（保存済表示）の他に、上記番組情報テーブルが記録される。
【０１５３】
この番組情報テーブルが個々のＤＶＤメディア１０７等にそれぞれ記録されることで、ＤＶＤメディア１０７毎に番組情報を管理することができる。
【０１５４】
上記と同様に、”未保存”の番組はＨＤＤ記録再生手段１０６から取得され、ＤＶＤメディア１０７へ記録編集される。
【０１５５】
次にこの発明の他の実施の形態を説明する。
【０１５６】
上記説明した例では、ＴＳ信号の識別情報にタイトル名、ジャンル名等が含まれている場合を例に挙げて説明したが、この発明の実施の形態においては、ＴＳ信号にタイトル名，ジャンル名等の識別情報がなく別の手段でタイトル名，ジャンル名等の番組情報が取得できる構成でも実現できる。
【０１５７】
例えば、ＢＳデジタル放送ではＥＰＧ（Ｅｌｅｃｔｏｒｏｎｉｃ  Ｐｒｏｇｒａｍ  Ｇｕｉｄｅ）という電子番組表が画像・音声データの他に送られてくる。また現行地上アナログ放送でも垂直帰先期間にＥＰＧデータを送るサービスもある。また、インターネットを利用し、ネットワークを介してＥＰＧを取得できるｉＥＰＧ（Ｉｎｔｅｒｎｅｔ  Ｅｌｅｃｔｏｒｏｎｉｃ  Ｐｒｏｇｒａｍ  Ｇｕｉｄｅ）と呼ばれるサービスもある。ここでは、これらを総称してＥＰＧとする。
【０１５８】
図１５はこの発明の、他の実施の形態に係る放送受信装置の構成を説明する図である。
【０１５９】
上記図１の説明と同一の構成については同一の符号を付して説明を省略する。
【０１６０】
チューナ１０１から、映像データ、音声データの他にＥＰＧデータを含むＴＳ信号が出力され、ＥＰＧ情報取得手段１６０１へ入力される。
【０１６１】
また、ネットワーク接続手段１６０３は、適宜インターネットにアクセスし、ＥＰＧサービスのサイトからタイトル名、ジャンル名、放送日、開始・終了時刻、チャンネル等の各番組情報データを取得する。
【０１６２】
ＥＰＧ情報取得手段１６０１は、ＴＳ信号からＥＰＧデータを抽出するよう動作する。また、ネットワーク接続手段１６０３から送信されたインターネットを介した情報からＥＰＧデータを取得する。
【０１６３】
番組情報テーブル生成手段１６０２は、ＥＰＧ情報取得手段１６０３により取得されたＥＰＧデータに基づいて、ユーザがリモコン１０９を操作してハードディスク記録再生手段１０６またはＤＶＤメディア１０７への録画指示を行ったときに、録画する番組の番組情報（ＥＰＧデータに含まれる）を抽出し、所定の形式に変換してハードディスク記録再生手段１０６またはＤＶＤメディア１０７の特定領域にある番組情報管理テーブルに追加する。
【０１６４】
ユーザが番組録画を実施するときには、ＥＰＧデータから番組情報を抽出して、この番組情報管理テーブル追加することで、ハードディスク記録再生手段１０６またはＤＶＤメディア１０７に記録されている番組情報も保存される。
【０１６５】
上記と同様に、ユーザが番組保存用のＤＶＤメディア１０７を放送受信装置へ挿入し、リモコン１０９を操作する。
【０１６６】
番組情報抽出手段１２０は、ハードディスク記録再生手段１０６の特定領域に保存されている番組情報管理テーブルを読み出して記憶する。同様に番組情報抽出手段１２１はＤＶＤメディア１０７の特定領域に保存されている番組情報管理テーブルを読み出し記憶する。以後上記説明と同様の動作を行い、表示手段１０５に番組リストを表示する。
【０１６７】
この発明の実施の形態においては、このように作成された（例えば図５（ｄ）に示す）番組情報テーブルをＤＶＤメディア１０７へ記録する。
【０１６８】
すなわち、この発明の実施の形態においても、ＤＶＤメディア１０７には、実際に記録された番組（保存済表示）の他に、上記番組情報テーブルが記録される。
【０１６９】
この番組情報テーブルが個々のＤＶＤメディア１０７等にそれぞれ記録されることで、ＤＶＤメディア１０７毎に番組情報を管理することができる。
【０１７０】
上記と同様に、”未保存”の番組はＨＤＤ記録再生手段１０６から取得され、ＤＶＤメディア１０７へ記録編集される。
【０１７１】
上記のように構成することで、この発明の実施の形態においては、例えばハードディスク記録再生手段１０６、ＤＶＤメディア１０７に記録したＴＳ信号に番組情報が送信されていない場合においても、ＥＰＧデータ等を利用し、番組情報がハードディスク記録再生手段１０６、ＤＶＤメディア１０７にそれぞれ番組情報管理テーブルとして保存されていれば、この発明を実現することができる。
【０１７２】
尚、上記説明においては、外部記憶手段の一例として、ＤＶＤメディア１０７を用いて説明を行ったが、この発明はこれに限定されるものではなく、半導体メモリ等の他の着脱可能な記録メディアであっても、同様の効果を得ることができる。
【０１７３】
【発明の効果】
上記説明したように、この発明の実施の形態においては、放送受信装置で作成される番組情報テーブルが個々のＤＶＤメディア１０７等にそれぞれ記録されることで、ＤＶＤメディア１０７毎に番組情報を管理することができる。
【０１７４】
また、これを表示することで、ＨＤＤ記録再生手段１０６に記録された多数の番組の中から保存したい番組候補を検索することができる。
【０１７５】
また、”保存済み”アイコン、”未保存”アイコン等を付加して表示することで、どの番組を保存すれば良いか、またすでに保存済みで削除しても良い番組かがユーザに簡単に知らせることができる。
【０１７６】
このため、放送受信装置の利便性を向上させることができる。
【図面の簡単な説明】
【図１】この発明の実施の形態に係る放送受信装置を説明する構成図。
【図２】この発明の実施の形態に係る放送受信装置で作成される番組内容を説明する図。
【図３】この発明の実施の形態に係る情報分析手段の動作を説明するフローチャート。
【図４】この発明の実施の形態に係るタイトル検索モード時動作を説明するフローチャート。
【図５】この発明の実施の形態に係る番組リストの例を説明する図。
【図６】この発明の実施の形態に係るグラフィック生成手段から出力される表示画面の一例を説明する図。
【図７】この発明の実施の形態に係る放送受信装置の番組リスト生成手段の動作を説明するフローチャート。
【図８】この発明の実施の形態に係る放送受信装置の番組リストの例を示す図。
【図９】この発明の実施の形態に係る放送受信装置で表示される表示画像の例を示す図。
【図１０】この発明の、他の実施の形態に係る番組情報を検索するフローチャート。
【図１１】この発明の、他の実施の形態に係る番組リストを説明する図。
【図１２】この発明の、他の実施の形態に係る表示画像を説明する図。
【図１３】この発明の、他の実施の形態に係るタイトル検索モードの表示画像を示す図。
【図１４】この発明の、他の実施の形態に係るジャンル検索モードの表示画像を示す図。
【図１５】この発明の、他の実施の形態に係る放送受信装置の構成を説明する図。
【符号の説明】
１０１  …  チューナ（放送受信手段）
１０２  …  選択手段
１０３  …  ＭＰＥＧデコード手段
１０４  …  画像切り替え手段
１０５  …  表示手段
１０６  …  ＨＤＤ記録再生手段（記録手段）
１０７  …  ＤＶＤメディア（外部記録媒体）
１０８  …  ディスク制御手段（外部記録媒体記録手段、番組情報テーブル記録手段）
１０９  …  リモコン
１１０  …  制御手段
１２０  …  番組情報抽出手段
１２１  …  番組情報抽出手段
１２２  …  番組リスト生成手段（番組情報テーブル作成手段）
１２３  …  番組情報分析手段
１２４  …  グラフィック生成手段
【図１】
2005020243.tif 000003
【図２】
2005020243.tif 000004
【図３】
2005020243.tif 000005
【図４】
2005020243.tif 000006
【図５】
2005020243.tif 000007
【図６】
2005020243.tif 000008
【図７】
2005020243.tif 000009
【図８】
2005020243.tif 000010
【図９】
2005020243.tif 000011
【図１０】
2005020243.tif 000012
【図１１】
2005020243.tif 000013
【図１２】
2005020243.tif 000014
【図１３】
2005020243.tif 000015
【図１４】
2005020243.tif 000016
【図１５】
2005020243.tif 000017